【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）を使用する第１のデバイスの通信が第２のＲＡＴを使用する第２のデバイスの通信からの干渉をいつ経験するかを決定することと、
前記干渉を経験しているときの第１のチャネル品質に関する情報と、前記干渉を経験していないときの第２のチャネル品質に関する情報と、前記干渉の時間の長さのデューティサイクルとを、前記第１のデバイスから受信することと、
前記第１および第２のチャネル品質に関する前記情報と、前記デューティサイクルとに基づいて、チャネル容量を決定することと、
前記干渉を低減するように前記第２のデバイスの前記通信を変更することであって、前記変更することが、少なくとも前記決定されたチャネル容量に基づいて前記第２のデバイスに対する送信レートを制御することを含む、変更することとを備える、ワイヤレス通信の方法。
【請求項２】
再送信のターゲット数（Ｍ）を設定することと、
パケットが少なくとも前記パケットのＭ番目の送信においてまたはその前にユーザ機器（ＵＥ）によって復号されるように、前記パケットのコードレートを決定することとさらに備える、請求項１に記載の方法。
【請求項３】
前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限することをさらに含む、請求項１に記載の方法。
【請求項４】
前記第２のデバイスに対する前記第１のデバイスの近接度を決定することをさらに備える、請求項１に記載の方法。
【請求項５】
前記変更することは、前記近接度がしきい値内であるときに前記通信を変更することを含む、請求項４に記載の方法。
【請求項６】
前記変更することが、１つまたは複数のＲＡＴからの総干渉を決定する干渉レベルを変更することを含む、請求項１に記載の方法。
【請求項７】
前記干渉レベルを変更することが、第１のループを介して前記干渉レベルを増加させること、または第２のループを介して前記干渉レベルを減少させることを含む、請求項６に記載の方法。
【請求項８】
前記変更することが、前記干渉を検出するための干渉測定を実行した結果に少なくとも部分的に基づく、請求項１に記載の方法。
【請求項９】
プログラムコードを記録した非一時的コンピュータ可読媒体であって、前記プログラムコードは、
第１の無線アクセス技術（ＲＡＴ）を使用する第１のデバイスの通信が第２のＲＡＴを使用する第２のデバイスの通信からの干渉をいつ経験するかを決定するためのプログラムコードと、
前記干渉を経験しているときの第１のチャネル品質に関する情報と、前記干渉を経験していないときの第２のチャネル品質に関する情報と、前記干渉の時間の長さのデューティサイクルとを、前記第１のデバイスから受信するためのプログラムコードと、
前記第１および第２のチャネル品質に関する前記情報と、前記デューティサイクルとに基づいて、チャネル容量を決定するためのプログラムコードと、
前記干渉を低減するように前記第２のデバイスの前記通信を変更するためのプログラムコードであって、前記変更することが、少なくとも前記決定されたチャネル容量に基づいて前記第２のデバイスに対する送信レートを制御することを含む、変更するためのプログラムコードとを含む、非一時的コンピュータ可読媒体。
【請求項１０】
前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限するためのプログラムコードをさらに含む、請求項９に記載の非一時的コンピュータ可読媒体。
【請求項１１】
前記プログラムコードが、前記第２のデバイスに対する前記第１のデバイスの近接度を決定するためのプログラムコードをさらに含み、変更するための前記プログラムコードは、前記近接度がしきい値内であるときに前記通信を変更するためのプログラムコードを含む、請求項９記載の非一時的コンピュータ可読媒体。
【請求項１２】
メモリと、
前記メモリに結合された少なくとも１つのプロセッサとを備える、ワイヤレス通信のための装置であって、前記少なくとも１つのプロセッサは、
第１の無線アクセス技術（ＲＡＴ）を使用する第１のデバイスの通信が第２のＲＡＴを使用する第２のデバイスの通信からの干渉をいつ経験するかを決定することと、
前記干渉を経験しているときの第１のチャネル品質に関する情報と、前記干渉を経験していないときの第２のチャネル品質に関する情報と、前記干渉の時間の長さのデューティサイクルとを、前記第１のデバイスから受信することと、
前記第１および第２のチャネル品質に関する前記情報と、前記デューティサイクルとに基づいて、チャネル容量を決定することと、
前記干渉を低減するように前記第２のデバイスの前記通信を変更することと
を行うように構成され、前記変更することが、少なくとも前記決定されたチャネル容量に基づいて前記第２のデバイスに対する送信レートを制御することを含む、装置。
【請求項１３】
前記少なくとも１つのプロセッサは、前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限するようにさらに構成された、請求項１２に記載の装置。
【請求項１４】
前記少なくとも１つのプロセッサが、前記第２のデバイスに対する前記第１のデバイスの近接度を決定するようにさらに構成され、前記少なくとも１つのプロセッサは、前記近接度がしきい値内であるときに前記通信を変更することによって、前記通信を変更するようにさらに構成された、請求項１２に記載の装置。
【請求項１５】
前記少なくとも１つのプロセッサが、１つまたは複数のＲＡＴからの総干渉を決定する干渉レベルを変更することによって、前記通信を変更するようにさらに構成された、請求項１２に記載の装置。
【請求項１６】
前記少なくとも１つのプロセッサが、第１のループを介して前記干渉レベルを増加させること、または第２のループを介して前記干渉レベルを減少させることによって、前記干渉レベルを変更するようにさらに構成された、請求項１５に記載の装置。
【請求項１７】
前記少なくとも１つのプロセッサが、前記干渉を検出するための干渉測定を実行した結果に少なくとも部分的に基づいて前記通信を変更するようにさらに構成された、請求項１２に記載の装置。
【請求項１８】
第１の無線アクセス技術（ＲＡＴ）を使用する第１のデバイスの通信が第２のＲＡＴを使用する第２のデバイスの通信からの干渉をいつ経験するかを決定するための手段と、
前記干渉を経験するときの第１のチャネル品質に関する情報と、前記干渉を経験しないときの第２のチャネル品質に関する情報と、前記干渉の時間の長さのデューティサイクルとを、前記第１のデバイスから受信するための手段と、
前記第１および第２のチャネル品質に関する前記情報と、前記デューティサイクルとに基づいて、チャネル容量を決定するための手段と、
前記干渉を低減するように前記第２のデバイスの前記通信を変更するための手段であって、前記変更することが、少なくとも前記決定されたチャネル容量に基づいて前記第２のデバイスに対する送信レートを制御することを備える、変更することとを備える、ワイヤレス通信のための装置。
【請求項１９】
前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限するための手段をさらに含む、請求項１８に記載の装置。
【請求項２０】
前記第２のデバイスに対する前記第１のデバイスの近接度を決定するための手段をさらに備え、前記変更する手段は、前記近接度がしきい値内であるときに前記通信を変更するための手段をさらに含む、請求項１８記載の装置。
【請求項２１】
前記送信レートを制御することは、前記干渉の前記デューティサイクルがしきい値以下であるときには、前記第１のチャネル品質のためのレートで送信し、前記干渉の前記デューティサイクルがしきい値よりも大きいかそれに等しいときには、前記第２のチャネル品質のためのレートで送信することを含む、請求項１に記載の方法。
【請求項２２】
前記送信レートを制御するための前記プログラムコードは、前記干渉の前記デューティサイクルがしきい値以下であるときには、前記第１のチャネル品質のためのレートで送信し、前記干渉の前記デューティサイクルがしきい値よりも大きいかそれに等しいときには、前記第２のチャネル品質のためのレートで送信するためのプログラムコードを含む、請求項９に記載の非一時的コンピュータ可読媒体。
【請求項２３】
前記少なくとも１つのプロセッサは、前記干渉の前記デューティサイクルがしきい値以下であるときには、前記第１のチャネル品質のためのレートで送信し、前記干渉の前記デューティサイクルがしきい値よりも大きいかそれに等しいときには、前記第２のチャネル品質のためのレートで送信することによって前記送信レートを制御するようにさらに構成される、請求項１２に記載の装置。
【請求項２４】
前記送信レートを制御することは、前記干渉の前記デューティサイクルがしきい値以下であるときには、前記第１のチャネル品質のためのレートで送信し、前記干渉の前記デューティサイクルがしきい値よりも大きいかそれに等しいときには、前記第２のチャネル品質のためのレートで送信することを含む、請求項１８に記載の装置。
【手続補正２】
【補正対象書類名】明細書
【補正対象項目名】００７６
【補正方法】変更
【補正の内容】
【００７６】
[0082]本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
第１の無線アクセス技術（ＲＡＴ）の通信が第２のＲＡＴの通信からの干渉を経験したときを決定することと、
前記干渉を低減するために、少なくとも前記第１のＲＡＴまたは前記第２のＲＡＴの前記通信を変更することであって、前記変更することが、少なくとも決定されたチャネル容量に基づいて前記第２のＲＡＴに対する送信レートを制御することを含む、変更することとを備える、ワイヤレス通信の方法。
［Ｃ２］
第１の干渉を経験しているときの第１のチャネル品質に関する情報と、前記第１の干渉を経験していないときの第２のチャネル品質に関する情報と、前記第１の干渉の時間の長さのデューティサイクルとを、前記第１のＲＡＴから受信することと、
前記第１および第２のチャネル品質に関する前記情報と、前記デューティサイクルとに基づいて、前記チャネル容量を決定することとをさらに備える、Ｃ１に記載の方法。
［Ｃ３］
再送信のターゲット数（Ｍ）を設定することと、
パケットが少なくとも前記パケットのＭ番目の送信においてまたはその前にユーザ機器（ＵＥ）によって復号されるように、前記パケットのコードレートを決定することとさらに備える、Ｃ２に記載の方法。
［Ｃ４］
前記変更することは、前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限することを含む、Ｃ１に記載の方法。
［Ｃ５］
前記第２のＲＡＴに対する前記第１のＲＡＴの近接度を決定することをさらに備える、Ｃ１に記載の方法。
［Ｃ６］
前記変更することは、前記近接度がしきい値内であるときに前記通信を変更することを含む、Ｃ５に記載の方法。
［Ｃ７］
前記変更することが、１つまたは複数のＲＡＴからの総干渉を決定する干渉オーバーサーマルレベルを変更することを含む、Ｃ１に記載の方法。
［Ｃ８］
前記干渉オーバーサーマルレベルを変更することが、第１のループを介して前記干渉オーバーサーマルレベルを増加させること、または第２のループを介して前記干渉オーバーサーマルレベルを減少させることを含む、Ｃ７に記載の方法。
［Ｃ９］
前記変更することが、前記干渉を検出するための干渉測定を実行した結果に少なくとも部分的に基づく、Ｃ１に記載の方法。
［Ｃ１０］
ワイヤレス通信のためのコンピュータプログラム製品であって、前記コンピュータプログラム製品は、
プログラムコードを記録した非一時的コンピュータ可読媒体を備え、前記プログラムコードは、
第１の無線アクセス技術（ＲＡＴ）の通信が第２のＲＡＴの通信からの干渉を経験したときを決定するためのプログラムコードと、
前記干渉を低減するために、少なくとも前記第１のＲＡＴまたは前記第２のＲＡＴの前記通信を変更するためのプログラムコードであって、変更するための前記プログラムコードが、少なくとも決定されたチャネル容量に基づいて前記第１のＲＡＴに対する送信レートを制御するためのプログラムコードを含む、変更するためのプログラムコードとを含む、コンピュータプログラム製品。
［Ｃ１１］
プログラムコードが、
第１の干渉を経験しているときの第１のチャネル品質に関する情報と、前記第１の干渉を経験していないときの第２のチャネル品質に関する情報と、前記第１の干渉の時間の長さのデューティサイクルとを、前記第１のＲＡＴから受信するためのプログラムコードと、
前記第１および第２のチャネル品質に関する前記情報と、前記デューティサイクルとに基づいて、前記チャネル容量を決定するためのプログラムコードとをさらに含む、Ｃ１０に記載のコンピュータプログラム製品。
［Ｃ１２］
変更するためのプログラムコードは、前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限するためのプログラムコードを含む、Ｃ１０に記載のコンピュータプログラム製品。
［Ｃ１３］
前記プログラムコードが、前記第２のＲＡＴに対する前記第１のＲＡＴの近接度を決定するためのプログラムコードをさらに含み、変更するための前記プログラムコードは、前記近接度がしきい値内であるときに前記通信を変更するためのプログラムコードを含む、Ｃ１０記載のコンピュータプログラム製品。
［Ｃ１４］
メモリと、
前記メモリに結合された少なくとも１つのプロセッサとを備える、ワイヤレス通信のための装置であって、前記少なくとも１つのプロセッサは、
第１の無線アクセス技術（ＲＡＴ）の通信が第２のＲＡＴの通信からの干渉を経験したときを決定することと、
前記干渉を低減するために、少なくとも前記第１のＲＡＴまたは前記第２のＲＡＴの前記通信を変更することと
を行うように構成され、変更するように構成された前記少なくとも１つのプロセッサが、少なくとも決定されたチャネル容量に基づいて前記第１のＲＡＴに対する送信レートを制御するように構成された前記少なくとも１つのプロセッサを含む、装置。
［Ｃ１５］
前記少なくとも１つのプロセッサが、
第１の干渉を経験しているときの第１のチャネル品質に関する情報と、前記第１の干渉を経験していないときの第２のチャネル品質に関する情報と、前記第１の干渉の時間の長さのデューティサイクルとを、前記第１のＲＡＴから受信することと、
前記第１および第２のチャネル品質に関する前記情報と、前記デューティサイクルとに基づいて、前記チャネル容量を決定することとを行うようにさらに構成された、Ｃ１４に記載の装置。
［Ｃ１６］
前記少なくとも１つのプロセッサは、前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限することによって、前記通信を変更するようにさらに構成された、Ｃ１４に記載の装置。
［Ｃ１７］
前記少なくとも１つのプロセッサが、前記第２のＲＡＴに対する前記第１のＲＡＴの近接度を決定するようにさらに構成され、前記少なくとも１つのプロセッサは、前記近接度がしきい値内であるときに前記通信を変更することによって、前記通信を変更するようにさらに構成された、Ｃ１４に記載の装置。
［Ｃ１８］
前記少なくとも１つのプロセッサが、１つまたは複数のＲＡＴからの総干渉を決定する干渉オーバーサーマルレベルを変更することによって、前記通信を変更するようにさらに構成された、Ｃ１４に記載の装置。
［Ｃ１９］
前記少なくとも１つのプロセッサが、第１のループを介して前記干渉オーバーサーマルレベルを増加させること、または第２のループを介して前記干渉オーバーサーマルレベルを減少させることによって、前記干渉オーバーサーマルレベルを変更するようにさらに構成された、Ｃ１８に記載の装置。
［Ｃ２０］
前記少なくとも１つのプロセッサが、前記干渉を検出するための干渉測定を実行した結果に少なくとも部分的に基づいて前記通信を変更するようにさらに構成された、Ｃ１４に記載の装置。
［Ｃ２１］
第１の無線アクセス技術（ＲＡＴ）の通信が第２のＲＡＴの通信からの干渉を経験したときを決定するための手段と、
前記干渉を低減するために、少なくとも前記第１のＲＡＴまたは前記第２のＲＡＴの前記通信を変更するための手段であって、前記変更する手段が、少なくとも決定されたチャネル容量に基づいて前記第１のＲＡＴに対する送信レートを制御するための手段を備える、変更するための手段とを備える、ワイヤレス通信のための装置。
［Ｃ２２］
第１の干渉を経験するときの第１のチャネル品質に関する情報と、前記第１の干渉を経験しないときの第２のチャネル品質に関する情報と、前記第１の干渉の時間の長さのデューティサイクルとを、前記第１のＲＡＴから受信するための手段と、
前記第１および第２のチャネル品質に関する前記情報と、前記デューティサイクルとに基づいて、前記チャネル容量を決定するための手段とをさらに備える、Ｃ２１に記載の装置。
［Ｃ２３］
前記変更する手段は、前記第２のＲＡＴの送信電力がしきい値を超えたときに、前記第２のＲＡＴの帯域幅割当てを、前記第１のＲＡＴの第２のチャネルからより遠く離れた前記第２のＲＡＴの第１のチャネルの一部に制限することを含む、Ｃ２１に記載の装置。
［Ｃ２４］
前記第２のＲＡＴに対する前記第１のＲＡＴの近接度を決定するための手段をさらに備え、前記変更する手段は、前記近接度がしきい値内であるときに前記通信を変更するための手段をさらに含む、Ｃ２１記載の装置。